(57)【要約】【課題】  モニタフォトダイオードの対物レンズ出射光量に対するモニタ出力の特性（Ｌ−Ｖ特性）が良好な直線性を示さない光ヘッドを用いた場合でも、対物レンズ出射光量を精確に制御できるようにする。【解決手段】  開示される光ヘッドの制御方法は、Ｌ−Ｖ特性曲線を測定する特性測定ステップと、Ｌ−Ｖ特性曲線を対物レンズ出射光量について第１〜第３区間に分割し、各区間の曲線を近似する１次式（１）〜（３）のそれぞれの傾きａ、ｃ及びｅ並びに切片ｂ、ｄ及びｆをそれぞれ求める近似ステップと、光記録媒体の記録又は再生に必要な対物レンズ出射光量が属する区間に対応した１次式の傾き及び切片によりモニタ出力を求めるモニタ出力算出ステップと、モニタフォトダイオードのモニタ出力がモニタ出力算出ステップにより求めたモニタ出力となるように半導体レーザの光ビームの光量を制御する制御ステップとを有している。【選択図】  図１
2008047242.tif 000002
【特許請求の範囲】
【請求項１】
半導体レーザから出射される光ビームの光量を制御する光ヘッドの制御方法であって、
前記半導体レーザから出射され、対物レンズにより光記録媒体のデータ記録面に照射される光ビームの光量である対物レンズ出射光量に対する、前記半導体レーザのレーザパワーをモニタするモニタフォトダイオードのモニタ出力の特性曲線を測定する特性測定ステップと、
前記特性曲線を前記対物レンズ出射光量について複数の区間に分割し、各区間の曲線を近似する複数の１次式のそれぞれの傾き及び切片を求める近似ステップと、
前記光記録媒体の記録又は再生に必要な前記対物レンズ出射光量が属する前記区間に対応した前記１次式の前記傾き及び切片により前記モニタ出力を求めるモニタ出力算出ステップと、
前記モニタフォトダイオードのモニタ出力が前記モニタ出力算出ステップにより求めた前記モニタ出力となるように前記半導体レーザの前記光ビームの光量を制御する制御ステップと
を有することを特徴とする光ヘッドの制御方法。
【請求項２】
前記近似ステップにより求められた前記特性曲線の各区間に対応した複数の１次式のそれぞれの傾き及び切片が予め記憶部に記憶され、
前記モニタ出力算出ステップでは、前記光記録媒体の記録又は再生に必要な前記対物レンズ出射光量が属する前記区間に対応した前記１次式の前記傾き及び切片を前記記憶部から読み出し、読み出した前記傾き及び切片により前記モニタ出力を求める
ことを特徴とする請求項１に記載の光ヘッドの制御方法。
【請求項３】
前記光記録媒体の記録又は再生に必要な前記対物レンズ出射光量は、前記光記録媒体の種類、記録又は再生の違い、記録速度又は再生速度の違いに応じて、予めそれぞれ設定され、前記記憶部に予めそれぞれ記憶され、
前記モニタ出力算出ステップでは、前記光記録媒体の種類、記録又は再生、要求される記録速度又は再生速度に応じて、前記記憶部から前記対物レンズ出射光量を読み出す
ことを特徴とする請求項１又は２に記載の光ヘッドの制御方法。
【請求項４】
半導体レーザと、前記半導体レーザから出射された光ビームを光記録媒体のデータ記録面に照射する対物レンズと、前記半導体レーザのレーザパワーをモニタするモニタフォトダイオードとを有する光ヘッドと、
前記対物レンズにより前記光記録媒体の前記データ記録面に照射される前記光ビームの光量である対物レンズ出射光量に対する、前記モニタフォトダイオードのモニタ出力の特性曲線の前記対物レンズ出射光量について分割された複数の区間ごとの曲線を近似する複数の１次式のそれぞれの傾き及び切片が予め記憶された記憶部と、
前記光記録媒体の記録又は再生に必要な前記対物レンズ出射光量が属する前記区間に対応した前記１次式の前記傾き及び切片を前記記憶部から読み出し、読み出した前記傾き及び切片により前記モニタ出力を求め、前記モニタフォトダイオードのモニタ出力が求めた前記モニタ出力となるように前記半導体レーザの前記光ビームの光量を制御する制御部と
を備えたことを特徴とする光記録再生装置。
【請求項５】
前記記憶部には、前記光記録媒体の種類、記録又は再生の違い、記録速度又は再生速度の違いに応じて予めそれぞれ設定された、前記光記録媒体の記録又は再生に必要な前記対物レンズ出射光量が予めそれぞれ記憶され、
前記制御部は、前記光記録媒体の種類、記録又は再生、要求される記録速度又は再生速度に応じて、前記記憶部から前記対物レンズ出射光量を読み出す
ことを特徴とする請求項４に記載の光記録再生装置。
【発明の詳細な説明】
【技術分野】
【０００１】
本発明は、光ディスク等の光記録媒体にデータの記録又は再生を行う光ヘッドの制御方法及びこの制御方法で制御される光ヘッドを備えた光記録再生装置に関する。
【背景技術】
【０００２】
従来の光記録再生装置では、ＣＤ（コンパクト・ディスク）−Ｒ（Recordable）、ＣＤ−ＲＷ（Rewritable）やＤＶＤ（Digital Versatile Disk）−Ｒ、ＤＶＤ−ＲＷ等の光記録媒体にデータを記録再生する際に、光ヘッドを構成する対物レンズから出射され、光記録媒体のデータ記録面に照射される光ビームの光量（対物レンズ出射光量）を制御することにより記録品質を確保している。記録品質は、通常、データ読み取り信号のジッタ量で評価される。
【０００３】
このような従来の光記録再生装置としては、例えば、光ビームを出射する半導体レーザと、この半導体レーザのレーザパワーをモニタするモニタフォトダイオードと、このモニタフォトダイオードの出力信号を用いて半導体レーザのレーザパワーを制御するレーザパワー制御手段とを有しているものがある。この光記録再生装置では、モニタフォトダイオードとして応答速度が当該装置の書込速度で決定される必要応答速度より遅いものを用いるとともに、このモニタフォトダイオードの帯域不足により生ずる半導体レーザのレーザパワーの誤差を補正する補正手段をレーザパワー制御手段に設けている（例えば、特許文献１参照。）。
【０００４】
光記録再生装置でデータ記録用として用いられる光ヘッドでは、記録品質確保の観点から、上記した対物レンズ出射光量を精確に制御するために、モニタフォトダイオードの対物レンズ出射光量Ｌに対する出力（モニタ出力）Ｖの実際の特性（Ｌ−Ｖ特性）（実データ）を精確に測定し、測定されたＬ−Ｖ特性に基づいて制御することが好ましい。この点、Ｌ−Ｖ特性は、図６に示すように、対物レンズ出射光量とモニタ出力とが正比例の関係にある場合、即ち、直線性がある場合には、ある対物レンズ出射光量に対応したモニタ出力が１つだけ分かれば、上記した対物レンズ出射光量を精確に制御することができる。
【０００５】
ところで、最近の光記録再生装置では、光記録媒体にデータを記録する際の記録速度が高速化するとともに、半導体レーザのレーザパワーが高出力化している。高出力の半導体レーザの場合、低出力時と高出力時で半導体レーザから出射される光ビームの広がり角が変化する特性がある。また、最近の光記録再生装置では、装置全体の小型化、薄型化が要請されており、これに伴って、装置内部におけるモニタフォトダイオードの配置位置が制限されるようになってきている。以上のことから、低出力時と高出力時とでモニタフォトダイオードの受光面に入射される光ビームの光量が異なる場合があるため、そのような光記録再生装置では、図７に示すように、Ｌ−Ｖ特性が良好な直線性を示さないことがある。
【０００６】
しかし、光記録再生装置の製造業者の中には、上記対物レンズ出射光量の精確な制御の観点から、光ヘッドのＬ−Ｖ特性の直線性について独自の規定を定めているものがあるが、図７に示すＬ−Ｖ特性を有する光ヘッドでは、この規定を満足することはできないとともに、このような直線性が良好でないＬ−Ｖ特性を有する光ヘッドをレーザ駆動回路により駆動しても精確にレーザパワーを制御することができない。さらに、最近では、例えば、ＤＶＤプレーヤ等において、波長の短い青色の光ビームを照射する青色半導体レーザ等の半導体レーザが用いられるようになってきている。このように取り扱う光ビームの波長が短い場合には、高精度にレーザパワーを制御することが要求されるので、直線性が良好なＬ−Ｖ特性を有する光ヘッドへの要求は大きい。
【０００７】
そこで、上記した課題を解決するために、従来では、以下に示す方法が採用されている。
（１）第１の方法
生産した光ヘッドの各Ｌ−Ｖ特性を検査した後、以下に示す第１の規定を満足する光ヘッドを選別して出荷可能な良品とする。ここで、第１の規定とは、光ヘッドのＬ−Ｖ特性について、対物レンズ出射光量Ｌの最大値の半分までの光量で直線近似を行い、この直線近似から得られる理論値と実データとを比較して、所定割合以内に収まることをいう。図８は、Ｌ−Ｖ特性の一例であり、曲線ａが理論値、曲線ｂが実データである。また、図９は、実データからの理論値の誤差の一例であり、最大２４％の誤差がある。
なお、先行技術調査を実施した限りでは、上記第１の方法の内容が具体的に記載された文献に関する情報は得られなかった。
【０００８】
（２）第２の方法
生産した光ヘッドの各Ｌ−Ｖ特性を検査した後、以下に示す第２の規定を満足する光ヘッドを良品と判定する。ここで、第２の規定とは、光ヘッドのＬ−Ｖ特性について、原点及び所定の２点のそれぞれのデータ（対物レンズ出射光量Ｌ及びモニタ出力Ｖ）を用いて２次近似を行い、この２次近似から得られる理論値と実データとを比較して、所定割合以内に収まることをいう。また、出荷する光ヘッドには、上記所定の２点のそれぞれの対物レンズ出射光量Ｌ及びモニタ出力ＶをＱＲコードに変換し、そのＱＲコードを印刷したラベル（ＱＲラベル）を貼付する。図１０は、Ｌ−Ｖ特性の一例であり、曲線ａが理論値、曲線ｂが実データである。また、図１１は、実データからの理論値の誤差の一例であり、最大８％の誤差がある。
なお、先行技術調査を実施した限りでは、上記第２の方法の内容が具体的に記載された文献に関する情報は得られなかった。
【０００９】
【特許文献１】特開２０００−８２２３０号公報（請求項１，［００３４］〜［００３８］、図１）
【発明の開示】
【発明が解決しようとする課題】
【００１０】
上記した第１の方法では、生産した光ヘッドの中から上記第１の規定を満足する光ヘッドを選別する必要があり、例えば、第１の規定における実データからの理論値の誤差が±５％以内であることを要求すると、歩留まりは１０％程度と良好でない。また、上記した第２の方法でも、例えば、第２の規定における実データからの理論値の誤差が±５％以内であることを要求すると、歩留まりは３０％程度と良好とはいえない。この結果、光ヘッドの価格が高価になってしまう。
【００１１】
本発明は、上述した事情に鑑みてなされたものであり、上述のような課題を解決することができる光ヘッドの制御方法及び光記録再生装置を提供することを目的とする。
【課題を解決するための手段】
【００１２】
上記課題を解決するために、請求項１記載の発明に係る光ヘッドの制御方法は、半導体レーザから出射される光ビームの光量を制御する光ヘッドの制御方法に係り、前記半導体レーザから出射され、対物レンズにより光記録媒体のデータ記録面に照射される光ビームの光量である対物レンズ出射光量に対する、前記半導体レーザのレーザパワーをモニタするモニタフォトダイオードのモニタ出力の特性曲線を測定する特性測定ステップと、前記特性曲線を前記対物レンズ出射光量について複数の区間に分割し、各区間の曲線を近似する複数の１次式のそれぞれの傾き及び切片を求める近似ステップと、前記光記録媒体の記録又は再生に必要な前記対物レンズ出射光量が属する前記区間に対応した前記１次式の前記傾き及び切片により前記モニタ出力を求めるモニタ出力算出ステップと、前記モニタフォトダイオードのモニタ出力が前記モニタ出力算出ステップにより求めた前記モニタ出力となるように前記半導体レーザの前記光ビームの光量を制御する制御ステップとを有することを特徴としている。
【００１３】
また、請求項２記載の発明は、請求項１に記載の光ヘッドの制御方法に係り、前記近似ステップにより求められた前記特性曲線の各区間に対応した複数の１次式のそれぞれの傾き及び切片が予め記憶部に記憶され、前記モニタ出力算出ステップでは、前記光記録媒体の記録又は再生に必要な前記対物レンズ出射光量が属する前記区間に対応した前記１次式の前記傾き及び切片を前記記憶部から読み出し、読み出した前記傾き及び切片により前記モニタ出力を求めることを特徴としている。
【００１４】
また、請求項３記載の発明は、請求項１又は２に記載の光ヘッドの制御方法に係り、前記光記録媒体の記録又は再生に必要な前記対物レンズ出射光量は、前記光記録媒体の種類、記録又は再生の違い、記録速度又は再生速度の違いに応じて、予めそれぞれ設定され、前記記憶部に予めそれぞれ記憶され、前記モニタ出力算出ステップでは、前記光記録媒体の種類、記録又は再生、要求される記録速度又は再生速度に応じて、前記記憶部から前記対物レンズ出射光量を読み出すことを特徴としている。
【００１５】
また、請求項４記載の発明に係る光記録再生装置は、半導体レーザと、前記半導体レーザから出射された光ビームを光記録媒体のデータ記録面に照射する対物レンズと、前記半導体レーザのレーザパワーをモニタするモニタフォトダイオードとを有する光ヘッドと、前記対物レンズにより前記光記録媒体の前記データ記録面に照射される前記光ビームの光量である対物レンズ出射光量に対する、前記モニタフォトダイオードのモニタ出力の特性曲線の前記対物レンズ出射光量について分割された複数の区間ごとの曲線を近似する複数の１次式のそれぞれの傾き及び切片が予め記憶された記憶部と、前記光記録媒体の記録又は再生に必要な前記対物レンズ出射光量が属する前記区間に対応した前記１次式の前記傾き及び切片を前記記憶部から読み出し、読み出した前記傾き及び切片により前記モニタ出力を求め、前記モニタフォトダイオードのモニタ出力が求めた前記モニタ出力となるように前記半導体レーザの前記光ビームの光量を制御する制御部とを備えたことを特徴としている。
【００１６】
また、請求項５記載の発明は、請求項４に記載の光記録再生装置に係り、前記記憶部には、前記光記録媒体の種類、記録又は再生の違い、記録速度又は再生速度の違いに応じて予めそれぞれ設定された、前記光記録媒体の記録又は再生に必要な前記対物レンズ出射光量が予めそれぞれ記憶され、前記制御部は、前記光記録媒体の種類、記録又は再生、要求される記録速度又は再生速度に応じて、前記記憶部から前記対物レンズ出射光量を読み出すことを特徴としている。
【発明の効果】
【００１７】
本発明によれば、請求項１記載の発明に係る光ヘッドの制御方法は、半導体レーザから出射される光ビームの光量を制御する光ヘッドの制御方法に係り、前記半導体レーザから出射され、対物レンズにより光記録媒体のデータ記録面に照射される光ビームの光量である対物レンズ出射光量に対する、前記半導体レーザのレーザパワーをモニタするモニタフォトダイオードのモニタ出力の特性（Ｌ−Ｖ特性）曲線を測定する特性測定ステップと、前記特性曲線を前記対物レンズ出射光量について複数の区間に分割し、各区間の曲線を近似する複数の１次式のそれぞれの傾き及び切片を求める近似ステップと、前記光記録媒体の記録又は再生に必要な前記対物レンズ出射光量が属する前記区間に対応した前記１次式の前記傾き及び切片により前記モニタ出力を求めるモニタ出力算出ステップと、前記モニタフォトダイオードのモニタ出力が前記モニタ出力算出ステップにより求めた前記モニタ出力となるように前記半導体レーザの前記光ビームの光量を制御する制御ステップとを有している。従って、Ｌ−Ｖ特性が良好な直線性を示さない光ヘッドを用いた場合であっても、対物レンズ出射光量を精確に制御することができる。これにより、光ヘッドの歩留まりが向上する。また、半導体レーザの選別を廃止することができるので、作業効率が向上する。この結果、光ヘッドを安価に構成することができる。
【００１８】
また、本発明によれば、請求項４に記載の発明に係る光記録再生装置は、半導体レーザと、前記半導体レーザから出射された光ビームを光記録媒体のデータ記録面に照射する対物レンズと、前記半導体レーザのレーザパワーをモニタするモニタフォトダイオードとを有する光ヘッドと、前記対物レンズにより前記光記録媒体の前記データ記録面に照射される前記光ビームの光量である対物レンズ出射光量に対する、前記モニタフォトダイオードのモニタ出力の特性（Ｌ−Ｖ特性）曲線の前記対物レンズ出射光量について分割された複数の区間ごとの曲線を近似する複数の１次式のそれぞれの傾き及び切片が予め記憶された記憶部と、前記光記録媒体の記録又は再生に必要な前記対物レンズ出射光量が属する前記区間に対応した前記１次式の前記傾き及び切片を前記記憶部から読み出し、読み出した前記傾き及び切片により前記モニタ出力を求め、前記モニタフォトダイオードのモニタ出力が求めた前記モニタ出力となるように前記半導体レーザの前記光ビームの光量を制御する制御部とを備えている。従って、Ｌ−Ｖ特性が良好な直線性を示さない光ヘッドを用いた場合であっても、対物レンズ出射光量を精確に制御することができる。これにより、光ヘッドの歩留まりが向上する。また、半導体レーザの選別を廃止することができるので、作業効率が向上する。この結果、光ヘッド、ひいては、光記録再生装置を安価に構成することができる。
【発明を実施するための最良の形態】
【００１９】
図４は、本発明の実施の形態に係る光ヘッドの制御方法が適用される光ヘッド１の光学系の構成を示す概略図である。この光ヘッド１は、図１に示すように、光ビームを出射する光源として半導体レーザ３を有している。半導体レーザ３の光出射側の所定位置には、回折格子４が配置されている。この回折格子４の片面には、半導体レーザ３から出射された所定波長の光ビームを３本の光ビーム（０次の主ビーム１４と±１次の副ビーム１５ａ、１５ｂ）に分割するための回折格子パターンが形成されている。即ち、回折格子４は、光記録媒体２のデータ記録面において、主ビーム１４の集光位置を中心にトラック方向に所定距離隔てて対称な位置に±１次の副ビーム１５ａ及び１５ｂが集光されるように、半導体レーザ３から出射された光ビームを分割する。
【００２０】
半導体レーザ３から見て回折格子４の光透過側には、偏光ビームスプリッタ５、４分の１波長板６、コリメートレンズ７及び対物レンズ８がこの順に並んで配置されている。偏光ビームスプリッタ５では、回折格子４からの主ビーム１４並びに±１次の副ビーム１５ａ及び１５ｂのＰ偏光の直線偏光成分が９０％以上透過して４分の１波長板６に入射する。一方、上記Ｐ偏光の直線偏光成分の残りの数％程度は、偏光ビームスプリッタ５において反射してモニタフォトダイオード９に入射する。また、偏光ビームスプリッタ５では、４分の１波長板６からのＳ偏光の直線偏光成分がほぼ１００％反射して、後述するセンサレンズ１０に入射する。
【００２１】
４分の１波長板６は、偏光ビームスプリッタ５からの主ビーム１４並びに±１次の副ビーム１５ａ及び１５ｂのＰ偏光の直線偏光成分（以下、「往路光ビーム」という。）を円偏光成分に変換するとともに、コリメートレンズ７からの円偏光成分を上記往路光ビームの偏光方位と直交する方向の直線偏光成分、即ち、上記Ｓ偏光の直線偏光成分に変換する。
【００２２】
コリメートレンズ７は、４分の１波長板６からの拡散光を平行光に変換するとともに、対物レンズ８からの平行光を集束光に変換する。対物レンズ８は、コリメートレンズ７からの平行光を光記録媒体２のデータ記録面に集光するとともに、光記録媒体２からの反射光を平行光に変換する。モニタフォトダイオード９は、半導体レーザ３から出射された光ビームの光強度を計測する。このモニタフォトダイオード９の出力に基づいて半導体レーザ３の出力が調整される。
【００２３】
一方、４分の１波長板６から見て偏光ビームスプリッタ５の光反射側には、センサレンズ１０、シリンドリカルレンズ１１並びに受光素子１２、１３ａ及び１３ｂがこの順に配置されている。センサレンズ１０は、光記録媒体２で反射された主ビーム１４並びに±１次の副ビーム１５ａ及び１５ｂを所定の光学系倍率で拡大する。
【００２４】
シリンドリカルレンズ１１は、センサレンズ１０からの光ビームに焦点ズレ誤差検出のための非点収差を与えるために、上記光ビームに対し、幅方向（曲率方向）にのみ変化を与え、長さ方向には変化を与えずに線状のビームを形成し、受光素子１２、１３ａ及び１３ｂ上にそれぞれ個別に結像させる。
【００２５】
受光素子１２は、半導体レーザ３の発光領域で発光された所定波長の光ビームのうち、光記録媒体２のデータ記録面によって反射された主ビーム１４を受光する。同様に、受光素子１３ａは、半導体レーザ３の発光領域で発光された所定波長の光ビームのうち、光記録媒体２のデータ記録面によって反射された＋１次の副ビーム１５ａを受光する。受光素子１３ｂは、半導体レーザ３の発光領域で発光された所定波長の光ビームのうち、光記録媒体２のデータ記録面によって反射された−１次の副ビーム１５ｂを受光する。受光素子１２、１３ａ及び１３ｂは、受光した各光ビームをそれぞれ分割された各受光領域においてそれぞれ独立に光電変換して電気信号を出力する。
【００２６】
また、図５は、図４に示す光ヘッド１を搭載した光記録再生装置の構成を示す概略図である。この光記録再生装置は、上記光ヘッド１と、スピンドルモータ２１と、スピンドルモータ駆動回路２２と、コントローラ２３と、送りモータ２４と、送りモータ駆動回路２５と、レーザ駆動回路２６と、レンズ駆動回路２７とから概略構成されている。
【００２７】
スピンドルモータ駆動回路２２は、コントローラ２３の制御の下、スピンドルモータ２１を駆動して光記録媒体２を回転させる。コントローラ２３は、光ヘッド１から供給されるフォトディテクタ検出信号に基づいて、スピンドルモータ駆動回路２２、送りモータ駆動回路２５、レーザ駆動回路２６及びレンズ駆動回路２７をそれぞれ制御する。
【００２８】
送りモータ駆動回路２５は、コントローラ２３の制御の下、送りモータ２４を駆動して光ヘッド１を光記録媒体２の半径方向に移動させる。レーザ駆動回路２６は、コントローラ２３の制御の下、光ヘッド１を構成する半導体レーザ３（図４参照）を駆動するためのレーザ駆動信号を生成し、光ヘッド１に供給する。レンズ駆動回路２７は、コントローラ２３の制御の下、光ヘッド１を構成する対物レンズ８のフォーカシング、トラッキング及びチルトを制御するためのレンズ駆動信号を生成し、光ヘッド１に供給する。
【００２９】
コントローラ２３は、フォーカスサーボ追従回路３１と、トラッキングサーボ追従回路３２と、スキュー調整回路３３と、レーザコントロール回路３４とを有している。フォーカスサーボ追従回路３１は、光ヘッド１から供給されるフォトディテクタ検出信号に基づいて、回転している光記録媒体２のデータ記録面に光ヘッド１から出射された光ビームのフォーカスをかけるためのフォーカスサーボ信号を生成し、レンズ駆動回路２７に供給する。
【００３０】
トラッキングサーボ追従回路３２は、光ヘッド１から供給されるフォトディテクタ検出信号に基づいて、光記録媒体２の偏芯している信号トラックに対して、光ヘッド１から出射された光ビームのビームスポットを追従させるためのトラッキングサーボ信号を生成し、レンズ駆動回路２７に供給する。スキュー調整回路３３は、光ヘッド１から供給されるフォトディテクタ検出信号に基づいて、光ヘッド１を構成する対物レンズ８（図４参照）をラジアル方向やタンジェンシャル方向に傾斜させるためのスキュー調整信号を生成し、レンズ駆動回路２７に供給する。レーザコントロール回路３４は、光ヘッド１から供給されるフォトディテクタ検出信号から抽出された光記録媒体２に記録されている記録条件設定データに基づいて、適切なレーザ駆動信号の生成を行う。
【００３１】
次に、上記構成を有する光ヘッドの制御方法について説明する。
（ａ）光ヘッド１のＬ−Ｖ特性の測定
まず、光ヘッド１の工場出荷時に、モニタフォトダイオード９の対物レンズ出射光量Ｌに対する出力（モニタ出力）Ｖの実際の特性（Ｌ−Ｖ特性）を測定する。この測定の測定時間は、１つの光ヘッド１について、約２０秒である。図１は、本発明の実施の形態に係る光ヘッドの制御方法が適用される光ヘッド１のＬ−Ｖ特性の一例を示している。次に、この実施の形態では、光ヘッド１のＬ−Ｖ特性曲線を図１に示すように、対物レンズ出射光量Ｌについて、複数の区間（図１の例では、第１〜第３区間の３区間）に分割し、Ｌ−Ｖ特性曲線の各区間を複数の１次式（図１の例では、式（１）〜式（３））で近似するために、傾きａ、ｃ及びｅと、切片ｂ、ｄ及びｆとをそれぞれ求める。
ｙ＝ａｘ＋ｂ  ・・・（１）
ｙ＝ｃｘ＋ｄ  ・・・（２）
ｙ＝ｅｘ＋ｆ  ・・・（３）
【００３２】
従って、光ヘッド１の製造業者（部品製造業者）は、光記録再生装置の製造業者（アセンブリ業者）には、この傾きａ、ｃ及びｅ並びに切片ｂ、ｄ及びｆを対応する光ヘッド１とともに提供することになる。この場合、傾きａ、ｃ及びｅ並びに切片ｂ、ｄ及びｆをＱＲコードに変換し、そのＱＲコードを印刷したＱＲラベルを対応する光ヘッド１に貼付する。
【００３３】
（ｂ）光ヘッド１の制御
アセンブリ業者は、部品製造業者から購入した光ヘッド１に貼付されているＱＲラベルからＱＲコードを読み取った後、このＱＲコードから上記傾きａ、ｃ及びｅ並びに切片ｂ、ｄ及びｆを変換する。次に、アセンブリ業者は、図５に示す光記録再生装置のコントローラ２３を構成するレーザコントロール回路３４に内蔵されている記憶部に上記傾きａ、ｃ及びｅ並びに切片ｂ、ｄ及びｆを予め記憶しておく。
【００３４】
一方、記録再生の対象である光記録媒体の種類（ＣＤ−Ｒ、ＣＤ−ＲＷ、ＤＶＤ−Ｒ、ＤＶＤ−ＲＷの違い、あるいは、単層又は２層の違い等）、記録又は再生の違い、記録の場合には、記録速度（２倍速、４倍速、６倍速、８倍速、１６倍速等）の違いに応じて、必要とされる対物レンズ出射光量Ｌは、予め設定されており、それに関するデータも、レーザコントロール回路３４に内蔵されている記憶部に予め記憶しておく。
【００３５】
そして、例えば、ＤＶＤ−Ｒに１６倍速でデータを記録する場合には、レーザコントロール回路３４は、この場合に必要な対物レンズ出射光量Ｌを内部の記憶部から読み出す。今の場合、対物レンズ出射光量Ｌは、６０ｍＷであるとする。次に、レーザコントロール回路３４は、読み出した対物レンズ出射光量Ｌ（今の場合、６０ｍＷ）に対応したＬ−Ｖ特性の区間（今の場合、第３区間）の近似式の傾き及び切片（今の場合、式（３）の傾きｅ及び切片ｆ）を記憶部から読み出す。
【００３６】
次に、レーザコントロール回路３４は、読み出した傾き及び切片（今の場合、傾きｅ及び切片ｆ）を式（３）に代入するとともに、式（３）に読み出した対物レンズ出射光量Ｌ（今の場合、６０ｍＷ）を代入して得られるべきモニタ出力（今の場合、約１１００ｍＷ）を求める。従って、レーザコントロール回路３４は、ＤＶＤ−Ｒに１６倍速でデータを記録するために、求めたモニタ出力（今の場合、約１１００ｍＷ）となるように、レーザ駆動回路２６に制御信号を供給する。
【００３７】
これにより、レーザ駆動回路２６は、レーザコントロール回路３４から供給された制御信号に基づいて、光ヘッド１を構成する半導体レーザ３（図４参照）を駆動するためのレーザ駆動信号を生成し、光ヘッド１に供給する。この結果、ＤＶＤ−Ｒに１６倍速でデータが記録される。
【００３８】
このように、本発明の実施の形態によれば、Ｌ−Ｖ特性が良好な直線性を示さない光ヘッド１を用いた場合であっても、対物レンズ出射光量を精確に制御することができる。図２は、Ｌ−Ｖ特性の一例であり、曲線ａが理論値、曲線ｂが実データである。また、図３は、実データからの理論値の誤差の一例であり、最大３％程度の誤差に抑えることができる。これにより、歩留まりは９８％以上と良好である。さらに、半導体レーザの選別を廃止することができるので、作業効率が向上する。この結果、光ヘッド１を安価に構成することができる。
【００３９】
以上、本発明の実施の形態について図面を参照して詳述してきたが、具体的な構成はこの実施の形態に限られるものではなく、本発明の要旨を逸脱しない範囲の設計の変更等があっても本発明に含まれる。
例えば、上述した実施の形態では、レーザコントロール回路３４に内蔵されている記憶部に式（１）〜式（３）のそれぞれの傾きａ、ｃ及びｅ並びに切片ｂ、ｄ及びｆと、記録再生の対象である光記録媒体の種類（ＣＤ−Ｒ、ＣＤ−ＲＷ、ＤＶＤ−Ｒ、ＤＶＤ−ＲＷの違い、あるいは、単層又は２層の違い等）、記録又は再生の違い、記録の場合には、記録速度（２倍速、４倍速、６倍速、８倍速、１６倍速等）の違いに応じて、必要とされる対物レンズ出射光量Ｌに関するデータを予め記憶する例を示したが、これに限定されない。これらのデータは、例えば、レーザ駆動回路２６に内蔵されている記憶部に予め記憶しておいても良い。
【図面の簡単な説明】
【００４０】
【図１】本発明の実施の形態に係る光ヘッドの制御方法が適用される光ヘッドのＬ−Ｖ特性の一例を示す特性図である。
【図２】本発明の実施の形態に係る光ヘッドの制御方法を説明するためのある光ヘッドのＬ−Ｖ特性の一例を示す特性図である。
【図３】図２に示すＬ−Ｖ特性を有する光ヘッドの実データからの理論値の誤差の一例を示す図である。
【図４】本発明の実施の形態に係る光ヘッドの制御方法が適用される光ヘッドの光学系の構成を示す概略図である。
【図５】図４に示す光ヘッドを搭載した光記録再生装置の構成を示す概略図である。
【図６】ある光ヘッドの対物レンズ出射光量とモニタ出力とが正比例の関係にある場合のＬ−Ｖ特性の一例を示す特性図である。
【図７】ある光ヘッドの良好な直線性を示さないＬ−Ｖ特性の一例を示す特性図である。
【図８】従来の第１の方法を説明するためのある光ヘッドのＬ−Ｖ特性の一例を示す特性図である。
【図９】図８に示すＬ−Ｖ特性を有する光ヘッドの実データからの理論値の誤差の一例を示す図である。
【図１０】従来の第２の方法を説明するためのある光ヘッドのＬ−Ｖ特性の一例を示す特性図である。
【図１１】図１０に示すＬ−Ｖ特性を有する光ヘッドの実データからの理論値の誤差の一例を示す図である。
【符号の説明】
【００４１】
１  光ヘッド
２  光記録媒体
３  半導体レーザ
４  回折格子
５  偏光ビームスプリッタ
６  ４分の１波長板
７  コリメートレンズ
８  対物レンズ
９  モニタフォトダイオード
１０  センサレンズ
１１  シリンドリカルレンズ
１２，１３ａ，１３ｂ  受光素子
１４  ０次の主ビーム
１５ａ  ＋１次の副ビーム
１５ｂ  −１次の副ビーム
２１  スピンドルモータ
２２  スピンドルモータ駆動回路
２３  コントローラ
２４  送りモータ
２５  送りモータ駆動回路
２６  レーザ駆動回路
２７  レンズ駆動回路
３１  フォーカスサーボ追従回路
３２  トラッキングサーボ追従回路
３３  スキュー調整回路
３４  レーザコントロール回路
【図１】
2008047242.tif 000003
【図２】
2008047242.tif 000004
【図３】
2008047242.tif 000005
【図４】
2008047242.tif 000006
【図５】
2008047242.tif 000007
【図６】
2008047242.tif 000008
【図７】
2008047242.tif 000009
【図８】
2008047242.tif 000010
【図９】
2008047242.tif 000011
【図１０】
2008047242.tif 000012
【図１１】
2008047242.tif 000013